(57)【要約】      （修正有）【課題】予期せず裾を捲り上げる必要が生じた際や水辺での行楽時、ダンスやスポーツを行う際、一時的に暑さから逃れる際、或いはファッションとして、必要に応じて容易に裾を捲り上げて下がらない様にする事を可能としながら、同時に自由な意匠によるズボン作りを可能とした、従来は排他的要素であった二つの付加価値の両立を可能にする裾の巻き上げ構造を提供する。【解決手段】ズボン１の脚を通す部分に、股から裾までの間に２本以上の紐７が付いており、その紐が付けられた場所の下に開口部３を形成する。【選択図】図１
2010281021.tif 000002
【特許請求の範囲】
【請求項１】
ズボン（１）の脚を通す部分の、股から裾までの間に２本以上の紐（７）（８）が付いており、その紐が付けられた場所の下に開口部（３）（４）を有している事を特徴とするズボン。
【請求項２】
開口部にファスナーやベリクロテープ等の開閉用具を用いる事で、開口部（５）の開閉を可能にした請求項１のズボン。
【発明の詳細な説明】
【発明の詳細な説明】
【０００１】  本発明は、ズボン（１）の裾を捲り上げる際に、容易にずり落ちてこないようにするための紐（７）（８）が、股から裾までの間に２本以上付けられており、その紐が付いている所の下に開口部（３）（４）を有している、ズボンの裾上げ状態を維持する構造に関するものである。
【０００２】  本発明によれば、ズボン（１）の股から裾までの間の、２本以上の紐（７）（８）が付けられた場所の下に、その紐を出し入れ出来るように開口部（３）（４）を有する事によって、その開口部を通じて、全ての紐を外側へ配置したり、内側へ配置したり、或いは、一本以上の紐を外側へ配置し、別な一本以上の紐を内側へ配置したりする事が出来るようになっており、裾上げ構造を有しながら、その構造の存在を隠す機能を持たせる事が可能となるため、同時に意匠の自由度を向上させる事が可能となっている。
【０００３】  ズボン（１）の裾を上げた状態を維持しようとする状況は、予期せず足元が濡れる可能性のある作業を求められる状況であったり、行楽で水辺に出掛けた時であったり、ダンスやスポーツを行う際に、また一時的に暑さから逃れる目的であったり、或いは単なるファッションの一環として、誰もが一度は経験しているほど一般的なものである。
【０００４】  従来は、ズボンの裾を上げてその状態を維持しようとした場合には、捲り上げた裾の生地を折り曲げる事で、裾が下がるのを止めたりしたり、ズボンの内側に１本の紐が付いており、その紐を外側に付いたボタンやホックやループやフック等を利用して止めていた。
【０００５】  また従来は、ズボンの足を通す部分の内側と外側にそれぞれ紐を配し、その紐を使って、裾が捲り上がった状態を維持する事もあった。
【０００６】  しかし、こうした従来の方法では、ズボンの外側にボタン等の固定具が付くため、機能を優先すれば美観を損ない、美観を損なわない様に固定具を意匠的な特長として活かそうとした場合でも、意匠の自由度を低くしてしまっていた。
【０００７】  また内側と外側の両方に紐を配したズボンでは、外側に付いた紐が美観を損なったり、足の動きの邪魔をしたり、足を動かす際に煩わしさを増加させたり、外側の紐を意匠的な特徴として活かそうとした場合でも、意匠の自由度を低くしてしまっていた。
【０００８】  つまり従来は、ズボンの裾を上げた状態を維持して下がらない様にするためには、そのための構造であるという一目瞭然の意匠を強いられていたのである。
【０００９】  ズボンの裾を捲り上げる状況は、誰もが一度は経験しているほど一般的でありながら、多くの人にとっては頻繁に必要とされる事態では無いため、こうした機能を持たせる工夫においては、これまでは機能が優先され、自由な発想による意匠の障害となり、創造性が損なわれていた。
【００１０】  本発明では、従来から有るそうした問題を解決するために、ズボン（１）の股から裾までの間に２本以上の紐（７）（８）を付け、その紐を付けた所の下に、開口部（３）（４）を設けた。
【００１１】  その事によって成し得ようとする第一の目的は、本発明によって作られたズボン（１）が、外観上、裾上げ構造を有しているという事が目立たない状態を実現する事である。
【００１２】  例えば、２本以上の紐（７）を、股から裾までの間の内側に付けて、その下に、ズボン（１）を製造する際に必要な縫製部分を利用して開口部（４）を設ける事によって、全ての紐が内側にある時は、その開口部は縫製部分と同化して目立たなくなるため、本発明による構造を有している状態を、外見上隠す事が出来る。
【００１３】  上記の場合、内側に取り付けた紐（７）の１本以上を、開口部を通じて外側に出す事で、裾の内側と外側にそれぞれ１本以上の紐（７）（８）がある状態となり、捲り上げられた裾が下がらないようにその紐で縛って止める事が可能となる。
【００１４】  こうした構造は、正装用途のズボンに対しては特に有効活用する事ができ、正装時に急に大雨が降った時や、泥濘を歩かなければならなくなった場合に、直ちに裾を捲り上げて下がらない様にする事が容易にでき、裾が汚れるのを防ごうとする目的に対して有効に作用する。
【００１５】  また本発明によれば、外観上、裾上げ構造を有していると判らなくする事が可能であるのだから、必然的に本発明は、自由な発想による意匠の具現化を妨げ無いという特徴を有している。
【００１６】  例えば、股から裾の間の外側に全ての紐（８）を付けて、その紐の色や柄に工夫を加える事で、それが捲り上げた裾を下がらない様にする目的のために付けられた紐であっても、その紐に自由な意匠を考案する事が可能であり、その紐が付いた場所の下に有した開口部（３）（４）を通じて、１本以上の紐をズボンの内側に入れれば、捲り上げた裾を縛って下がらない様にする事が可能となる。
【００１７】  例えば、本発明によってズボン（１）の外側に付けられた紐（８）を、常に本発明による開口部（３）（４）からズボンの内側に入れておく事によって、常に紐を取り出し易い状況を作りながら、外側に付けた紐の色や柄に工夫を加える事で、意匠上のアクセントとして活かす事が可能となる。
【００１８】  例えば、本発明による開口部（３）（４）を目立つ様に縫製や加工する事によって、また、金属やプラスティック等で額縁状の意匠を考案し、穴の開いたズボンという特徴的な意匠を考案する事によって、目立つ開口部（６）でありながら、その開口部が本発明による構造上のものであるという事を目立たなくさせる事が可能となる。
【００１９】  また、開口部（５）にファスナーやベリクロテープといった開閉具を用いる事によって、あたかもそこにポケットを有しているかの様な意匠を考案する事が可能となる。
【００２０】  開口部（５）にファスナーやベリクロテープといった開閉具を用いた場合には、より大きな開口部とする事が可能となるため、意匠の自由度を高めるだけでなく、本発明の機能性の向上にも貢献する。
【００２１】  つまり本発明によれば、ズボン（１）が如何なる意匠を持つものであっても、そのズボン単体で、いつでも必要に応じて、容易に裾を捲り上げて下がらない様にする事が可能となる機能を持たせる事が出来るので、ズボンの裾上げ機能と自由な発想による意匠という、従来は排他的条件下にあった付加価値の両立を図る事が可能になるのである。
【図面の簡単な説明】
【図１】  股から裾の間の内側に複数の紐を付け、その下に開口部を有した状態を表した図。
【図２】  図１より、内側にある紐の１本を、開口部を通して外側へ出した状態を表した図。
【図３】  捲り上げた裾が下がらない様に、開口部によって裾の内外に配された紐を縛って止めた状態を表した図。
【図４】  外側に付けた紐を、開口部を通して内側へ入れた状態を表した図。
【図５】  外側に付けた紐の１本を、開口部を通して内側へ入れた状態を表した図。
【図６】  図１より、開口部の形状を、製造上必要な縫製部分と同化させる工夫をした状態を表した図。
【図７】  図１より、開閉具の活用により、開口部を大きくした状態を表した図。
【図８】  開口部を意図的に目立つ様にし、外側に付けられた紐を、その開口部を通して内側に入れた状態を表した図。
【符号の説明】１  ズボン
２  捲り上げたズボンの裾
３  開口部
４  製造上必要な縫製部分と同化した開口部
５  開閉具の活用で大きくした開口部
６  意図的に目立つ様にした開口部
７  ズボンの内側にある紐（点線）
８  ズボンの外側にある紐（実線）
９  紐を縛って出来た結び目
【図１】
2010281021.tif 000003
【図２】
2010281021.tif 000004
【図３】
2010281021.tif 000005
【図４】
2010281021.tif 000006
【図５】
2010281021.tif 000007
【図６】
2010281021.tif 000008
【図７】
2010281021.tif 000009
【図８】
2010281021.tif 000010